(57)【要約】      （修正有）【課題】施錠を解除する不正行為を簡単な構造で容易に防止できるようにする。【解決手段】外枠１にヒンジを介して前枠２を開閉自在に装着し、ヒンジと反対側に前枠２を閉状態で外枠１に施錠する施錠手段３５と、施錠手段３５を解除操作する操作手段３６とを設ける。前枠２は外枠１の内側に嵌合する嵌合枠部２７を備え、嵌合枠部２７の外枠１の内側面と対向する側壁部３２の内側に操作手段３６の解除用の作動部５７を設ける。施錠手段３５は外枠１の内側に固定された施錠受け具３８と、基部側が嵌合枠部２７内に設けられ且つ施錠受け具３８に係脱自在に係合する施錠掛け具３９とを備えている。【選択図】図３
2008228879.tif 000002
【特許請求の範囲】
【請求項１】
外枠（１）にヒンジ（３）を介して前枠（２）を開閉自在に装着し、前記ヒンジ（３）と反対側に前記前枠（２）を閉状態で前記外枠（１）に施錠する施錠手段（３５）と、該施錠手段（３５）を解除操作する操作手段（３６）とを設けた遊技機において、前記前枠（２）は前記外枠（１）の内側に嵌合する嵌合枠部（２７）を備え、該嵌合枠部（２７）の前記外枠（１）の内側面と対向する側壁部（３２）の内側に前記操作手段（３６）の解除用の作動部（５７）を設けたことを特徴とする遊技機。
【請求項２】
前記施錠手段（３５）は前記外枠（１）の内側に固定された施錠受け具（３８）と、基部側が前記嵌合枠部（２７）内に設けられ且つ前記施錠受け具（３８）に係脱自在に係合する施錠掛け具（３９）とを備えたことを特徴とする請求項１に記載の遊技機。
【請求項３】
前記施錠掛け具（３９）を前記嵌合枠部（２７）内に縦軸（４２）廻りに回動自在に枢支したことを特徴とする請求項２に記載の遊技機。
【請求項４】
前記施錠掛け具（３９）を前記嵌合枠部（２７）に左右方向に摺動自在に設けたことを特徴とする請求項２に記載の遊技機。
【請求項５】
前記施錠受け具（３８）及び前記施錠掛け具（３９）は上下方向に複数個あり、前記各施錠掛け具（３９）を連動させる縦軸（４２）を前記嵌合枠部（２７）内に設け、該縦軸（４２）を介して前記操作手段（３６）の前記解除用の作動部（５７）により前記各施錠掛け具（３９）を操作するようにしたことを特徴とする請求項２〜４の何れかに記載の遊技機。
【請求項６】
前記施錠手段（３５）は前記嵌合枠部（２７）に固定された施錠受け具（３８）と、前記外枠（１）の内側に出退自在に設けられ且つ前記施錠受け具（３８）に係脱自在に係合する施錠掛け具（３９）とを備えたことを特徴とする請求項１に記載の遊技機。
【請求項７】
前記操作手段（３６）はキー操作により前後方向の操作軸（５２）廻りに回動する回動体（７７）を有し、該回動体（７７）により前記施錠掛け具（３９）を解除操作するようにしたことを特徴とする請求項６に記載の遊技機。
【発明の詳細な説明】
【技術分野】
【０００１】
本発明は、パチンコ機、アレンジボール機、スロットマシン等の遊技機、取り分け施錠装置の改良に関するものである。
【背景技術】
【０００２】
遊技機、例えばパチンコ機等の弾球遊技機は、左右方向の一側に、遊技盤を有する前枠を外枠に開閉自在に装着するヒンジを配置し、このヒンジと反対側に、上下一対の施錠手段とこれを解除操作する操作手段とからなる施錠装置を配置して、通常は施錠手段により前枠を閉状態で外枠に施錠しておき、必要に応じて前枠の前側から操作手段により施錠手段を解除して前枠をヒンジ廻りに開放できるようにしている。
【０００３】
この種の弾球遊技機では、遊技者等が不正に施錠手段を解除して前枠を開放する不正行為を防止できるように、施錠手段等に種々の不正防止対策を講じている（特許文献１〜３）。
【特許文献１】特開２００３−３２０１４１号公報
【特許文献２】特開２００１−１２０８１７号公報
【特許文献３】特開２００４−１５４３１６号公報
【発明の開示】
【発明が解決しようとする課題】
【０００４】
しかし、従来の施錠装置は、図１５に示すように上下一対の施錠手段１００と、この各施錠手段１００を連動させる連動部材１０１とを、外枠１０２と前枠１０３の嵌合枠部１０４との間に配置しているため、外枠１０２と前枠１０３との隙間から何等かの部材を挿入して施錠手段１００を解除する不正行為を確実に防止できない欠点がある。
【０００５】
即ち、各施錠手段１００は施錠受け具１０５と、この施錠受け具１０５に係脱自在に係合する施錠掛け具１０６とを備え、その施錠受け具１０５は外枠１０２の内側に固定され、また施錠掛け具１０６は嵌合枠部１０４の外側で前枠１０３に固定された支持板１０７に横軸１０８により上下に回動自在に枢着されている。そして、操作手段（図示省略）のキー操作により上下の各施錠掛け具１０６を連動して解除方向に操作する連動部材１０１が、支持板１０７に沿って上下方向に配置されている。
【０００６】
従って、何等かの手段により前枠１０３に前側へと外力を加えて外枠１０２と前枠１０３との間に隙間を作れば、施錠手段１００の施錠掛け具１０６及び連動部材１０１がその隙間を介して露出するため、その隙間から不正部材を挿入して施錠掛け具１０６又は連動部材１０１を操作することが可能となり、不正行為を確実に防止できないという欠点がある。
【０００７】
本発明は、かかる従来の問題点に鑑み、施錠を解除する不正行為を簡単な構造で容易に防止できる遊技機を提供することを目的とする。
【課題を解決するための手段】
【０００８】
本発明は、外枠１にヒンジ３を介して前枠２を開閉自在に装着し、前記ヒンジ３と反対側に前記前枠２を閉状態で前記外枠１に施錠する施錠手段３５と、該施錠手段３５を解除操作する操作手段３６とを設けた弾球遊技機において、前記前枠２は前記外枠１の内側に嵌合する嵌合枠部２７を備え、該嵌合枠部２７の前記外枠１の内側面と対向する側壁部３２の内側に前記操作手段３６の解除用の作動部５７を設けたものである。
【発明の効果】
【０００９】
本発明では、嵌合枠部２７の外枠１の内側面と対向する側壁部３２の内側に操作手段３６の解除用の作動部５７を設けているので、施錠を解除する不正行為を簡単な構造で容易に防止できる。
【発明を実施するための最良の形態】
【００１０】
以下、本発明の実施例を図面に基づいて詳細に説明する。図１〜図５は本発明の第１の実施例を示し、図１、図２において、１は矩形枠状の外枠、２は前枠で、左右方向の一側で上下一対のヒンジ３を介して縦軸心廻りに開閉自在及び着脱自在に枢着されると共に、ヒンジ３と反対側の施錠装置４により閉状態で外枠１に施錠されている。前枠２にはガラス扉５及び前面扉６がヒンジ３と略同一軸心のヒンジ廻りに開閉自在に装着され、ガラス扉５の裏側に遊技盤７が着脱自在に装着されている。
【００１１】
遊技盤７の前面には、発射手段９から発射された遊技球を案内するガイドレール１０が環状に装着されると共に、そのガイドレール１０の内側の遊技領域１１内に図柄表示手段１２、図柄始動手段１３、可変入賞手段１４、普通入賞手段１５等の複数の遊技部品が装着されている。
【００１２】
前面扉６には、発射用の遊技球を貯留するための供給皿１６が装着されている。前枠２の下部には、余剰球を受ける受け皿１７、発射手段９、灰皿１８が設けられている。発射手段９は、発射ハンドル１９を操作したときに駆動モータ２０が作動して、供給皿１６から発射レール２１上に供給される遊技球を打撃槌２２により打撃して遊技盤７のガイドレール１０側へと発射させるようになっている。ガラス扉５は外周側の扉枠２３と、この扉枠２３に装着されたガラス板２４とを有し、そのガラス板２４を介して遊技領域１１を視認可能になっている。
【００１３】
前枠２は合成樹脂製の矩形状であって、外枠１の前側に当接可能な矩形状の前枠部２６と、この前枠部２６の内周側から後方に突出し且つ外枠１内に嵌合する嵌合枠部２７とを一体に有し、その嵌合枠部２７内の遊技盤装着部２８に前側から着脱自在に遊技盤７が装着されている。
【００１４】
前枠部２６は外枠１の縦枠部２９の外側面と略面一状の外壁部３０と、この外壁部３０の後端から左右方向の内側に屈曲する後壁部３１とを有する。嵌合枠部２７は後壁部３１の内端から後側に屈曲し且つ外枠１の縦枠部２９の内側面に内側から対向する側壁部３２と、この側壁部３２の後端から左右方向の内側に屈曲する後壁部３３とを有する。そして、前枠部２６及び嵌合枠部２７の両者に跨がって内壁部３４が設けられている。
【００１５】
施錠装置４は図３〜図５に示すように、前枠２を閉状態で外枠１に施錠する施錠手段３５と、この施錠手段３５を解除操作する操作手段３６とを備えている。施錠手段３５は所定の間隔をおいて上下に一対設けられており、その各々は外枠１の縦枠部２９の内側面にネジ３７等で固定された施錠受け具３８と、基部が前枠２の嵌合枠部２７内に設けられ且つ施錠受け具３８に係脱自在に係合する施錠掛け具３９とを備えている。
【００１６】
施錠掛け具３９は後端側に施錠受け具３８に係合する係合部４０と、前枠２を閉じるときに施錠受け具３８の先端に摺動自在に案内されて、施錠受け具３８を乗り越えるように施錠掛け具３９を回動させるための案内部４１とを有する。そして、施錠掛け具３９はその基部側が嵌合枠部２７内で縦軸４２廻りに左右方向に回動自在に支持され、その係合部４０及び案内部４１が嵌合枠部２７の後壁部３３の左右方向のスリット等の開口４４から後方に突出している。
【００１７】
縦軸４２は嵌合枠部２７内に側壁部３２、後壁部３３、内壁部３４等と一体に形成された横リブ等の支持壁４５に固定の軸受４６、後壁部３３に固定された軸受ブラケット４７等により上下両端部を含む複数箇所で回動自在に支持されている。そして、縦軸４２の上下両端側に各施錠掛け具３９が固定され、また各施錠掛け具３９を係合方向に付勢するつる巻きバネ等のバネ４８が設けられている。縦軸４２の中間には、操作手段３６に対応して連動体４９が固定されている。なお、軸受ブラケット４７は連動体４９の近傍に配置されている。
【００１８】
操作手段３６は前面側にキー５０の挿入孔を有する保持筒５１と、この保持筒５１に回動自在に保持され且つ後方に突出する操作軸５２と、この操作軸５２の後端に固定された略円板状の係合体５３とを有し、操作軸５２の軸心が縦軸４２の軸心と略直交するように、縦軸４２の前側で前枠部２６と嵌合枠部２７とに跨がってその内部に前後方向に配置されている。保持筒５１は前枠部２６の前面側に固定された補強板５４に装着されると共に、その前端部が前枠部２６の前面に取り付けられた化粧カバー５５の開口５６に嵌合されており、前枠２の前側からキー５０を挿入して回動操作することにより、操作軸５２を正逆方向に回動操作可能である。
【００１９】
操作軸５２及び係合体５３は解除用の作動部５７を構成しており、施錠掛け具３９の基部側と共に嵌合枠部２７の内部、即ち嵌合枠部２７の側壁部３２よりも内側に設けられている。係合体５３はその周方向に２個の係合部５３ａ，５３ｂを有し、操作軸５２が一方に回動したときに、一方の係合部５３ａが縦軸４２に固定の連動体４９に係合して縦軸４２を解除方向に回動させ、操作軸５２が他方に回動したときに、他方の係合部５３ｂがガラス扉５の施錠手段の連動体（何れも図示省略）を解除方向に回動させるようになっている。
【００２０】
この実施例の施錠装置４は、次のように作動する。即ち、前枠２を開放した状態では、施錠手段３５の施錠掛け具３９は、バネ４８により付勢されて開口４４の縁に当接している。そこで、前枠２をヒンジ３廻りに回動させると、嵌合枠部２７の後壁部３３から後方に突出する施錠掛け具３９の案内部４１が外枠１側の施錠受け具３８に案内されて、施錠掛け具３９がバネ４８に抗して縦軸４２廻りに図４のａ矢示方向へと回動する。
【００２１】
そして、前枠２の前枠部２６が外枠１に当接して閉状態になると、施錠掛け具３９の案内部４１が施錠受け具３８を通過し、施錠掛け具３９がバネ４８により縦軸４２廻りに反ａ矢示方向に回動して、図３に示すように施錠掛け具３９の係合部４０が施錠受け具３８に係合する。従って、前枠２をヒンジ３廻りに回動させて閉じれば、従来と同様に上下一対の施錠手段３５により外枠１に施錠できる。
【００２２】
前枠２を開放する場合には、操作手段３６にキー５０を挿入して操作軸５２をｂ矢示方向へと回動操作する。すると図５の（Ａ）及び（Ｂ）に示すように、操作軸５２の後端の係合体５３の係合部５３ａが連動体４９に係合して、操作軸５２のｂ矢示方向への回動に伴って係合体５３、連動体４９を介して縦軸４２がバネ４８に抗してａ矢示方向へと回動する。このため上下の施錠掛け具３９が縦軸４２と一体にａ矢示方向へと回動し、この施錠掛け具３９の係合部４０が施錠受け具３８から外れる。これで施錠手段３５を解除できるため、その状態で前枠２をヒンジ３廻りに開放すれば良い。
【００２３】
また構造的には施錠掛け具３９の基部側、施錠掛け具３９の基部側を支持する縦軸４２、操作手段３６の操作軸５２及び係合体５３等の作動部５７が嵌合枠部２７の側壁部３２よりも内側にあって、前枠２の前枠部２６及び嵌合枠部２７の内部に配置されているため、嵌合枠部２７の外側に施錠掛け具３９等が配置されていた従来に比較して、前枠２と外枠１との隙間から何等かの部材を挿入して施錠手段３５を解除するような不正行為を確実に防止できる。
【００２４】
しかも、施錠掛け具３９の係合部４０側が嵌合枠部２７から突出しているが、その突出方向が嵌合枠部２７から後方であるため、前枠２と外枠１との隙間から何等かの部材を挿入しても、この施錠掛け具３９の突出部分を直接操作することは非常に困難である。
【００２５】
図６、図７は本発明の第２の実施例を例示する。上下一対の施錠手段３５は、外枠１側に固定された施錠受け具３８と、前枠２の嵌合枠部２７側に左右方向に摺動自在に支持された施錠掛け具３９とを備えている。
【００２６】
施錠受け具３８は施錠掛け具３９の先端が嵌合する凹部５９の前側が係合部６０となっており、外枠１の縦枠部２９の内側面にネジ等で固定されている。なお、施錠受け具３８の前端には、縦枠部２９の内側前端の角部を保護する保護部６１が一体に設けられている。
【００２７】
施錠掛け具３９は基部側が保持ケース６２に摺動自在に挿入され、嵌合枠部２７から外枠１の縦枠部２９側に突出する先端側が施錠受け具３８に係脱自在に係合するように、バネ４８により係合方向に付勢されている。保持ケース６２は側壁部３２から嵌合枠部２７内に挿入され、取り付け部６３が側壁部３２に固定されている。
【００２８】
施錠掛け具３９には保持ケース６２の上下の長孔６４を介して上下に突出するピン６５が設けられており、このピン６５にアーム６６が係合している。アーム６６は縦軸４２に固定され、操作手段３６を解除方向にキー操作したときに、ピン６５を介して施錠掛け具３９を離脱方向に操作するようになっている。
【００２９】
なお、施錠掛け具３９の先端には、前枠２を閉じるときに、施錠受け具３８の保護部６１に当接して、施錠掛け具３９をバネ４８に抗して後退させるための案内部４１が傾斜状に設けられている。縦軸４２から操作手段３６側の構成を含む他の構成は、第１の実施例と同じである。
【００３０】
この施錠手段３５の解除に際して操作手段３６をキー操作すると、縦軸４２がａ矢示方向に回動して、アーム６６、ピン６５を介して施錠掛け具３９が解除方向（ｃ矢示方向）に後退し、施錠掛け具３９が施錠受け具３８から離脱する。
【００３１】
逆に前枠２を閉じる際には、施錠掛け具３９の案内部４１が施錠受け具３８の保護部６１に当接して後退しながら凹部５９側へと摺動する。そして、前枠２が外枠１に当接した時点で施錠掛け具３９が凹部５９に対応してバネ４８により突出し、その係合部６０に係合する。これによって前枠２を外枠１に閉状態で施錠できる。
【００３２】
また施錠掛け具３９の基部側、縦軸４２、操作手段３６の作動部５７等が前枠２の内部に入っているため、第１の実施例と同様に不正行為による施錠手段３５の解除を防止できる。また施錠掛け具３９の先端側が嵌合枠部２７の側壁部３２から突出しているが、施錠掛け具３９が外枠１の前端から後方に離れた位置で保持ケース６２により左右方向に摺動自在に保持されているため、前枠２と外枠１との隙間から不正部材を挿入して施錠掛け具３９の突出部分を直接操作することもできない。
【００３３】
図８は本発明の第３の実施例を例示する。この実施例では、施錠掛け具３９にはその前側にラック６８が形成され、そのラック６８に噛合するピニオン６９が縦軸４２に設けられている。その他の構成は第２の実施例と略同様である。
【００３４】
このように縦軸４２と施錠掛け具３９は、ラック６８とピニオン６９を介して連動させるようにしてもよい。なお、前枠２を閉じる際に、施錠掛け具３９が施錠受け具３８と接触してバネ４８に抗して摺動し、ラック６８とピニオン６９を介して縦軸４２が回動するが、連動体４９が係合体５３から外れる方向であるため、別段問題はない。
【００３５】
図９〜図１１は本発明の第４の実施例を例示する。この実施例では、施錠手段３５、操作手段３６は前後に対応して上下方向の中央等に１個設けられている。そして、施錠手段３５は、前枠２の嵌合枠部２７側に固定された施錠受け具３８と、外枠１の縦枠部２９側に前後方向の支軸７０廻りに上下方向に回動自在に支持され且つ施錠受け具３８に係脱自在に係合する施錠掛け具３９とを備えている。
【００３６】
施錠受け具３８は施錠掛け具３９用の案内部７２を有し、嵌合枠部２７の後側に形成された凹部７３内に配置されている。なお、凹部７３は前枠２の開閉時に施錠掛け具３９が通過できるように後方が開放状になっている。
【００３７】
施錠掛け具３９はその基部が縦枠部２９の内側に形成された凹部７４内で固定金具７５の支軸７０により枢支され、遊端側が施錠受け具３８に係合するように縦枠部２９から嵌合枠部２７側へと突出している。なお、施錠掛け具３９はつる巻きバネ等のバネ４８により係合方向に付勢され、係合位置で固定金具７５のストッパー部７６に当接している。
【００３８】
操作手段３６の操作軸５２は嵌合枠部２７の側壁部３２よりも内側で支軸７０と略平行に配置され、この操作軸５２の後端部にカム形状等の回動体７７が偏心状に固定されている。回動体７７は凹部７３内で施錠掛け具３９の下側に対応して配置され、操作軸５２が解除方向に回動したときに、バネ４８に抗して施錠掛け具３９を施錠受け具３８よりも上側まで回動させるようになっている。なお、操作軸５２、回動体７７により、作動部５７が構成されている。
【００３９】
この場合には、前枠２を閉じる際に、施錠掛け具３９の遊端側が施錠受け具３８の案内部７２で押し上げられて、施錠掛け具３９がバネ４８に抗して支軸７０廻りに上側へと回動する。そして、前枠２が外枠１に当接した時点で施錠掛け具３９が施錠受け具３８の前側に通過し、施錠掛け具３９が施錠受け具３８に係合する。これによって施錠手段３５により前枠２を外枠１に施錠できる。
【００４０】
施錠手段３５の解除に際しては、操作手段３６の操作軸５２を解除方向に廻すと、回動体７７が施錠掛け具３９の遊端側を持ち上げて、施錠受け具３８に対する施錠掛け具３９の係合を解除する。
【００４１】
この場合にも、作動部５７を構成する操作軸５２、回動体７７が嵌合枠部２７の側壁部３２の内側にあるため、各実施例と同様に不正行為による施錠手段３５の解除を防止できる。
【００４２】
図１２は本発明の第５の実施例を例示する。この実施例では、前後方向の支軸７０廻りに施錠掛け具３９と一体に回動する連動体４９が施錠掛け具３９の前側に設けられており、この連動体４９を操作軸５２の後端の回動体７７により上側に回動させて、施錠掛け具３９を施錠受け具３８から外すようになっている。なお、バネ４８は施錠掛け具３９と連動体４９との間に設けられている。このような構造でも、不正行為による施錠手段３５の解除を防止できる。
【００４３】
図１３は本発明の第６の実施例を例示する。この実施例では、施錠受け具３８は操作軸５２の延長上に受け軸７９を有し、その受け軸７９に施錠掛け具３９の切り欠き部８０が上側から係脱自在に係合するようになっている。施錠受け具３８、施錠掛け具３９はこのような構造でもよい。
【００４４】
図１４は本発明の第７の実施例を例示する。この実施例では、施錠掛け具３９はその基部が縦枠部２９の内側に形成された凹部７４内で固定金具７５の上下方向の支軸７０により回動自在に枢支され、後端側の係合部が施錠受け具３８に係合するように縦枠部２９から嵌合枠部２７側へと突出している。なお、施錠掛け具３９はつる巻きバネ等のバネ４８により係合方向に付勢され、係合位置で固定金具７５のストッパー部７５ａに当接している。また施錠掛け具３９及び施錠受け具３８には、その両方に通過用の案内部４１，７２が傾斜状に形成されている。そして、操作軸５２の後端側の回動体７７は、嵌合枠部２７側から嵌合枠部２７の側面を解除方向に押圧するようになっている。他の構成は第４の実施例と略同様である。
【００４５】
このように回動体７７により施錠掛け具３９の側面を押圧して、施錠受け具３８から外れるように施錠掛け具３９を支軸７０廻りに回動させるようにしてもよい。この場合には、構造的に簡単にできる。
【００４６】
以上、本発明の各実施例について詳述したが、本発明は各実施例に限られるものではなく種々の変更が可能である。例えば、施錠掛け具３９、施錠受け具３８の形状は、他のものでもよい。施錠掛け具３９の基部は前枠２又は外枠１の内部に入っていることが望ましいが、施錠掛け具３９が外枠１の縦枠部２９の前端から十分に離れている場合には、必ずしも前枠２又は外枠１の内部に入っている必要はない。
【００４７】
施錠手段３５を上下方向に複数個設ける場合、その各施錠掛け具３９と操作手段３６の操作軸５２とを連動させる連動機構は、縦軸４２によるものの他、上下方向に作動する連動部材を利用してもよい。また操作軸５２の回動により縦軸４２を回動させる連動機構としては、ベベルギヤー等を使用してもよい。第４〜第７の実施例の場合、施錠手段３５を解除状態に保持できる保持手段を設ければ、施錠手段３５を上下方向に複数個設けることも可能である。更に本発明はパチンコ機に限らず、アレンジボール、雀球遊技機等の弾球遊技機は勿論のこと、スロットマシンを含む各種の遊技機でも同様に実施することができる。  
【図面の簡単な説明】
【００４８】
【図１】本発明の第１の実施例を示す弾球遊技機の斜視図である。
【図２】同横断平面図である。
【図３】同施錠装置の横断平面図である。
【図４】同施錠装置の縦断側面図である。
【図５】（Ａ）（Ｂ）は同動作説明図である。
【図６】本発明の第２の実施例を示す施錠装置の横断平面図である。
【図７】同施錠装置の縦断側面図である。
【図８】本発明の第３の実施例を示す施錠装置の横断平面図である。
【図９】本発明の第４の実施例を示す施錠装置の横断平面図である。
【図１０】同施錠装置の縦断正面図である。
【図１１】同施錠装置の縦断側面図である。
【図１２】本発明の第５の実施例を示す施錠装置の横断平面図である。
【図１３】本発明の第６の実施例を示す施錠装置の要部の斜視図である。
【図１４】本発明の第７の実施例を示す施錠装置の横断平面図である。
【図１５】従来の施錠装置の斜視図である。
【符号の説明】
【００４９】
１  外枠
２  前枠
３  ヒンジ
２７  嵌合枠部
３２  側壁部
３５  施錠手段
３６  操作手段
３８  施錠受け
３９  施錠掛け具
４２  縦軸
５２  操作軸
５７  作動部
７７  回動体
【図１】
2008228879.tif 000003
【図２】
2008228879.tif 000004
【図３】
2008228879.tif 000005
【図４】
2008228879.tif 000006
【図５】
2008228879.tif 000007
【図６】
2008228879.tif 000008
【図７】
2008228879.tif 000009
【図８】
2008228879.tif 000010
【図９】
2008228879.tif 000011
【図１０】
2008228879.tif 000012
【図１１】
2008228879.tif 000013
【図１２】
2008228879.tif 000014
【図１３】
2008228879.tif 000015
【図１４】
2008228879.tif 000016
【図１５】
2008228879.tif 000017